(57)【要約】【課題】電動工具において、操作性が良く、視認性、防塵性および質感が低下しないスイッチ装置を提供する。【解決手段】スイッチ装置１３は、内部に電気接点を備え、かつ該電気接点を切替えるため切替部材回動軸１３ｃを中心として回動する切替部材１３ａを備えたスイッチ本体１３ｂと、軟質弾性材料からなり、少なくとも切替部材１３ａを覆うカバー１４と、硬質材料からなり、少なくともカバー１４を覆う形状に成形されたスイッチ操作部材１５とを有して構成されている。スイッチ操作部材１５は、ヘッド部１２の壁面１２ａから外部に突出して取付けられており、スイッチ操作部材回動軸１６を中心に回動することで、カバー１４と共に切替部材１３ａを押下し、電気接点を切替えるようになっている。【選択図】  図２
2011228172.tif 000002
【特許請求の範囲】
【請求項１】
駆動源であるモータを制御するための電動工具のスイッチ装置において、
該スイッチ装置は、内部に電気接点を備え、かつ該電気接点を切替えるための切替部材を備えたスイッチ本体と、
軟質弾性材料からなり、少なくとも該切替部材を覆うカバーと、
硬質材料からなり、少なくとも該カバーを覆う形状に成形されており、該カバーと共に該切替部材を押下することで該電気接点を切替えるスイッチ操作部材と、
を備えることを特徴とする電動工具のスイッチ装置。
【請求項２】
該切替部材は切替部材回動軸を中心として回動し、
該スイッチ操作部材はスイッチ操作部材回動軸を中心として回動し、
該切替部材回動軸の中心軸と該スイッチ操作部材回動軸の中心軸は一致するように構成されている請求項１記載の電動工具のスイッチ装置。
【請求項３】
該電動工具は、集塵機である請求項１又は請求項２記載の電動工具のスイッチ装置。
【発明の詳細な説明】
【技術分野】
【０００１】
本発明は、電動工具のスイッチ装置の構造に関するものである。
【背景技術】
【０００２】
従来の電動工具としては、例えば、特許文献１のものが公知である。以下に従来の集塵機の構成の概要を説明する。
【０００３】
集塵機の本体は、図５の如く、吸引した粉塵等を溜めるためのタンク部５１と、モータ等を収納し、タンク部５１に着脱可能なヘッド部５２と、ヘッド部５２に設けられモータを制御するためのスイッチ５３が設けられている。
【０００４】
スイッチ５３は、図６の如く、スイッチ操作部材５３ａとフランジ部５３ｂを備え、それらはヘッド部５２の外壁５２ａから外部に突出するようにヘッド部５２の外壁５２ａに固定されている。ヘッド部５２の外壁５２ａから外部に突出したスイッチ操作部材５３ａとフランジ部５３ｂは、スイッチ操作部材５３ａを目視できるように透明であり、かつ弾性材料からなるカバー５４に覆われている。カバー５４は、箱形状をしており、箱形状の一面には全周に端部５４ａを残して開口が設けられている。カバー５４は、端部５４ａをフランジ部５３ｂとヘッド部５２の外壁により挟持されることで固定されており、スイッチ操作部材５３ａとフランジ部５３ｂへの塵および液体の進入に対する防塵性が保たれている。
【先行技術文献】
【特許文献】
【０００５】
【特許文献１】特開２００４−７４０９７号公報
【発明の概要】
【発明が解決しようとする課題】
【０００６】
ところで、このような集塵機では、操作者がスイッチ５３を操作する場合、すなわち、スイッチ操作部材５３ａを押す場合、透明の弾性材料からなるカバー５４を変形させながら押すことになるため、強く押す必要があり、操作性が悪かった。また、操作者がスイッチ５３を操作する場合、操作者は、スイッチ操作部材５３ａの表面に表示された記号を確認する必要があるが、カバー５４を通して確認するため、カバー５４表面の反射光により視認性が悪かった。
【０００７】
さらに、カバー５４は、透明の弾性材料からなるため、耐候性が低く、ＵＶ光による劣化が進むと、操作時の変形や物品の衝突により破損や亀裂が発生していた。破損や亀裂が発生すると、防塵性の低下により、塵および液体がスイッチ操作部材５３ａとフランジ部５３ｂに到達し、スイッチ５３内部に侵入することで不具合を引き起こしていた。さらに、劣化によるカバー５４の変色で透明性が低下することにより、スイッチ操作部材５３ａの視認性の更なる低下および質感の低下が問題となっていた。
【０００８】
それゆえに本発明は上記問題を解決するためになされたもので、その目的は、操作性が良く、視認性、防塵性および質感が低下しない電動工具のスイッチ装置を提供することである。
【課題を解決するための手段】
【０００９】
本発明に係るスイッチ装置は、内部に電気接点を備え、かつ該電気接点を切替えるための切替部材を備えたスイッチ本体と、軟質弾性材料からなり、少なくとも該切替部材を覆うカバーと、硬質材料からなり、少なくとも該カバーを覆う形状に成形されており、該カバーと共に該切替部材を押下することで該電気接点を切替えるスイッチ操作部材とを備えたものである。
【００１０】
また、該切替部材は切替部材回動軸を中心として回動し、該スイッチ操作部材はスイッチ操作部材回動軸を中心として回動し、該切替部材回動軸の中心軸と該スイッチ操作部材回動軸の中心軸は一致するように構成されていることが好ましい。
【発明の効果】
【００１１】
本発明によれば、操作性および操作感が良く、視認性、防塵性および質感が低下しない電動工具のスイッチ装置を提供することができる。
【００１２】
また、本発明によれば、スイッチ装置全体がコンパクトになり、狭い場所にも設置することができる。
【図面の簡単な説明】
【００１３】
【図１】本発明における集塵機の実施形態を示す概観図。
【図２】図１の要部拡大断面図。
【図３】図１の要部拡大断面図。
【図４】図１の要部拡大断面図。
【図５】従来の集塵機を示す概略正面図。
【図６】図５の要部拡大断面図。
【発明を実施するための形態】
【００１４】
以下、本発明の集塵機の実施形態について図１〜図４を参酌しつつ説明する。図１は本発明における集塵機の実施形態を示す概観図、図２〜図４は図１に示す集塵機の要部拡大断面図である。
【００１５】
図１〜図４において示されるように、集塵機は、図示しない駆動源であるモータおよび該モータによって回転される集塵ファンを内部に収容するヘッド部１２と、ヘッド部１２に設けられ、かつ前記モータを制御するためのスイッチ装置１３と、スイッチ装置１３を有するヘッド部１２の下方に位置し、かつ前記集塵ファンにより搬送される粉塵を収納するためのタンク部１１と、タンク部１１に図示しないダクトホースを接続するための接続部１１ａを備えている。スイッチ装置１３は、内部に電気接点を備え、かつ該電気接点を切替えるため切替部材回動軸１３ｃを中心として回動する切替部材１３ａを備えたスイッチ本体１３ｂと、軟質弾性材料（ＮＢＲ等）からなり、少なくとも切替部材１３ａを覆うカバー１４と、硬質材料（ＡＢＳ等）からなり、少なくともカバー１４を覆う形状に成形されたスイッチ操作部材１５とを有して構成されている。スイッチ操作部材１５は、ヘッド部１２の壁面１２ａから外部に突出して取付けられており、スイッチ操作部材回動軸１６を中心に回動することで、カバー１４と共に切替部材１３ａを押下し、電気接点を切替えるようになっている。
なお、切替部材回動軸１３ｃはスイッチ本体１３ｂ内部に設けられており、切替部材回動軸１３ｃの中心軸とスイッチ操作部材回動軸１６の中心軸とは一致している。
【００１６】
スイッチ操作部材１５は、スイッチ操作部材回動軸１６を中心に所定角度両方向に回動し、第一の方向の回動では切替部材１３ａを介して電気接点は閉じ、第２の方向の回動では切替部材１３ａを介して電気接点は開くこととなる。
【００１７】
上記構成により、操作者がスイッチ装置１３のスイッチ操作部材１５を押下すると、スイッチ操作部材１５は第一の方向にスイッチ操作部材回動軸１６を中心に回動し、カバー１４と共に切替部材１３ａが押下げられ、切替部材１３ａを介して電気接点を閉じることになる。電気接点を閉じることでモータが起動し、集塵ファンが回転することになり、タンク部１１を介してダクトホース内に吸引力発生する。粉塵等はこの吸引力により吸引され、ダクトホースを介してタンク部１１内に搬送される。
【００１８】
本実施形態においては、操作者がスイッチ装置１３のスイッチ操作部材１５を直接操作できるので、操作性および操作感が低下することがなく、また、スイッチ操作部材１５を直接目視できるので視認性が良く、また視認性が低下することもない。
また、カバー１４においては、その外部をスイッチ操作部材１５が覆っているため、ＵＶ光による劣化がなく、よって劣化に起因する亀裂および破損の発生がなく、防塵性が維持される。さらに、カバー１４の材質選定においては、耐候性、特に耐ＵＶ性が低い軟質弾性材料も選択可能となり、また透明性が必要ないため、さらに材料の選択肢が広がる。すなわち廉価な材料を選定することが可能となる。
【００１９】
さらに、切替部材回動軸１３ｃの中心軸とスイッチ操作部材回動軸１６の中心軸を一致させたことにより、スイッチ操作部材１５を操作した際、カバー１４がスイッチ操作部材１５と切替部材１３ａにより擦られることがないためカバー１４の磨耗が防止でき、しいては、スイッチ装置１３の防塵性を長年に渡って維持できる。
また、切替部材回動軸１３ｃの中心軸とスイッチ操作部材回動軸１６の中心軸を一致させたことにより、スイッチ装置全体がコンパクトになり、狭い場所にも設置することができる。
【００２０】
本発明に係る電動工具のスイッチ装置は、上述した実施形態に限定されず、特許請求の範囲に記載した範囲で種々の変形や改良が可能である。例えば、上述した実施形態において電動工具は集塵機であったが、これに限定されない。塵芥および液体の飛散下、および太陽光の照射下等劣悪な環境化で使用される電動工具に適用してもよい。
【符号の説明】
【００２１】
１１  タンク部、１２  接続部、１２ａ  外壁、１３  スイッチ装置、１３ａ  切替部材、１３ｂ  スイッチ本体、１３ｃ  切替部材回動軸、１４  カバー、１５  スイッチ操作部材、１６  スイッチ操作部材回動軸  
【図１】
2011228172.tif 000003
【図２】
2011228172.tif 000004
【図３】
2011228172.tif 000005
【図４】
2011228172.tif 000006
【図５】
2011228172.tif 000007
【図６】
2011228172.tif 000008